(57)【特許請求の範囲】
【請求項１】
情報を記録媒体に記録するための処理を行う信号処理手段と、
前記信号処理手段による前記記録媒体への記録に異常が発生する状態となったもしくは発生したときには、前記信号処理手段を構成する回路要素別に記録異常の発生要因を検知して、その記録異常に関する情報を異常情報記録媒体に実時間と共に記録する記録異常検出・訂正・制御手段と、
前記記録媒体への記録開始前に該記録に関する回路要素の設定データ及び設定操作情報を保持するモード設定データ保持手段とを備え、
前記記録異常検出・訂正・制御手段は、前記信号処理手段の回路要素に設定された設定データを所定時間間隔で監視するとともに、該監視結果として得られる設定データと、前記モード設定データ保持手段のモード設定データとを比較して異なる場合には記録異常が発生する状態になったもしくは発生したとして、前記異常情報記録媒体に記録異常の原因である設定データの内容やその時の設定操作情報を実時間データと共に記録し、かつ、異常の確認された回路要素に対して、前記モード設定データ保持手段に保持されているモード設定データとなるようリセットし、引き続いて正常な状態に復帰させて信号処理を行わせる、ことを特徴とする情報記録装置。
【請求項２】
請求項１に記載の情報記録装置において、
前記信号処理手段は、少なくとも映像信号を前記情報として前記記録媒体に記録するための処理を行なうように構成している、ことを特徴とする情報記録装置。
【請求項３】
請求項１または２に記載の情報記録装置において、
前記信号処理手段での信号処理モードを人為的に設定する人為設定手段を備えるとともに、
前記記録異常検出・訂正・制御手段は、前記人為設定手段の設定操作情報を前記異常情報記録媒体に操作した実時間と共に記録するように構成している、ことを特徴とする情報記録装置。
【請求項４】
請求項１から３のいずれかに記載の情報記録装置において、
前記記録異常が発生する状態になったもしくは発生している状態を検出したときには、記録異常状態であることを表示もしくは報知する手段を備える、ことを特徴とする情報記録装置。
【請求項５】
請求項１から４のいずれかに記載の情報記録装置において、
前記記録媒体は磁気記録媒体である、ことを特徴とする情報記録装置。
【請求項６】
請求項５に記載の情報記録装置において、
前記磁気記録媒体は磁気テープである、ことを特徴とする情報記録装置。
【請求項７】
請求項１から６のいずれかに記載の情報記録装置において、
前記記録媒体と前記異常情報記録媒体とを同一とし、異常情報を前記記録媒体の空き領域に記録する、ことを特徴とする情報記録装置。
【請求項８】
請求項１から６のいずれかに記載の情報記録装置において、
前記記録媒体は、記録媒体本体を封止体に内蔵した携帯型記録媒体に構成するとともに、前記異常情報記録媒体は、前記記録媒体本体とは別に前記携帯型記録媒体に備えられた補助記録媒体である、ことを特徴とする情報記録装置。
【請求項９】
請求項８に記載の情報記録装置において、
前記記録媒体は、磁気記録媒体を封止体に内蔵したカートリッジ型の携帯型記録媒体であって、前記補助記録媒体は、前記携帯型記録媒体に備えられる半導体メモリである、ことを特徴とする情報記録装置。
【発明の詳細な説明】
【０００１】
【発明の属する技術分野】
本発明は、例えば、カメラ一体型ＶＴＲのように映像情報などの情報を磁気テープなどの記録媒体に記録可能な情報記録装置に関する。
【０００２】
【従来の技術】
情報記録装置の一例であるカメラ一体型ＶＴＲについて説明する。従来、カメラ一体型ＶＴＲを用いて撮影する際に、撮影者はカメラ一体型ＶＴＲの各種機能をセットアップするために、本体に内蔵された不揮発性半導体メモリや、本体にセットされたカード型半導体メモリから設定データを読み出したり、カメラ一体型ＶＴＲの撮像部等に設けられた各種入力キーを操作して、設定データを入力するようにしていた。本体に内蔵された半導体メモリあるいはメモリカードから読み出されたデータや、入力キーで入力された設定データは、マイクロコンピュータのメモリに一旦保持され、その設定データに基づいて各種信号処理回路や駆動部に命令を出すことで、セットアップの動作を行なうようにしていた。
【０００３】
【発明が解決しようとする課題】
しかしながら、そのようにセットした状態で撮影しているときに、例えば静電気や宇宙線、電磁界や、振動等によるコネクタの一時的接触不良などの外乱が原因で信号処理回路に誤ったデータが設定されたり、何もデータが設定されなかったりした場合に、記録異常が発生することがあった。
【０００４】
この場合、記録媒体に記録された内容から記録異常の発生が判明しても、その記録異常がいつの時点から発生しているか、またどの信号処理回路においてその異常が発生することになったかまで報知する手段はなかった。
【０００５】
したがって、従来においては、上記のように記録異常が発生した場合、どの回路が原因で記録異常が発生したのか、また、どのような操作により設定値が異常になったのか、何ら記録が残っておらず、使用者の記憶に頼って原因追求していたため、その記録異常について原因解析を行なうのが難しく、原因を突き止めるのに長時間かかっていた。
【０００６】
また、例えば信号処理回路などに各種センサを設けて記録異常の発生を検出する専用の異常検出手段を設けることも考えられるが、このような専用の異常検出手段を設けると、コスト高、大型化や消費電力の増大を招くことになるので、簡易に記録異常を検出できる情報記録装置が望まれていた。
【０００７】
本発明は、上記した課題を解決するために創作したものであって、記録異常が発生した場合に、その記録異常の原因解析を簡易迅速に行なうことのできる情報記録装置を提供することを目的とする。
【０００８】
【課題を解決するための手段】
本発明に係る情報記録装置は、情報を記録媒体に記録するための処理を行う信号処理手段と、前記信号処理手段による前記記録媒体への記録に異常が発生する状態となったもしくは発生したときには、前記信号処理手段を構成する回路要素別に記録異常の発生要因を検知して、その記録異常に関する情報を異常情報記録媒体に実時間と共に記録する記録異常検出・訂正・制御手段と、前記記録媒体への記録開始前に該記録に関する回路要素の設定データ及び設定操作情報を保持するモード設定データ保持手段とを備え、前記記録異常検出・訂正・制御手段は、前記信号処理手段の回路要素に設定された設定データを所定時間間隔で監視するとともに、該監視結果として得られる設定データと、前記モード設定データ保持手段のモード設定データとを比較して異なる場合には記録異常が発生する状態になったもしくは発生したとして、前記異常情報記録媒体に記録異常の原因である設定データの内容やその時の設定操作情報を実時間データと共に記録し、かつ、異常の確認された回路要素に対して、前記モード設定データ保持手段に保持されているモード設定データとなるようリセットし、引き続いて正常な状態に復帰させて信号処理を行わせる、ことを特徴とする。
【０００９】
本発明に係る情報記録装置において、好ましくは、前記信号処理手段は、少なくとも映像信号を前記情報として前記記録媒体に記録するための処理を行なうように構成している。
【００１１】
本発明に係る情報記録装置において、好ましくは、前記信号処理手段での信号処理モードを人為的に設定する人為設定手段を備えるとともに、前記記録異常検出・訂正・制御手段は、前記人為設定手段の設定操作情報を前記異常情報記録媒体に操作した実時間と共に記録するように構成している。
【００１３】
本発明に係る情報記録装置において、好ましくは、前記記録異常が発生する状態となったもしくは発生している状態を検出したときには、記録異常状態であることを表示もしくは報知する手段を備える。
【００１４】
本発明に係る情報記録装置において、好ましくは、前記記録媒体は、磁気記録媒体である。
【００１５】
本発明に係る情報記録装置において、好ましくは、前記磁気記録媒体は、磁気テープである。
【００１６】
本発明に係る情報記録装置において、好ましくは、前記記録媒体と前記異常情報記録媒体とを同一とし、異常情報を前記記録媒体の空き領域に記録することを特徴とする情報記録装置。
【００１７】
本発明に係る情報記録装置において、好ましくは、前記記録媒体は、記録媒体本体を封止体に内蔵した携帯型記録媒体に構成するとともに、前記異常情報記録媒体は、前記記録媒体本体とは別に前記携帯型記録媒体に備えられた補助記録媒体である。
【００１８】
本発明に係る情報記録装置において、好ましくは、前記記録媒体は、磁気記録媒体を封止体に内蔵したカートリッジ型の携帯型記録媒体であって、前記補助記録媒体は、前記携帯型記録媒体に備えられる半導体メモリであることを特徴とする情報記録装置。
【００１９】
【発明の実施の形態】
本発明の請求項１に係る情報記録装置は、情報を記録媒体に記録するための処理を行う信号処理手段と、前記信号処理手段による前記記録媒体への記録に異常が発生する状態となったもしくは発生したときには、前記信号処理手段を構成する回路要素別に記録異常の発生要因を検知して、その記録異常に関する情報を異常情報記録媒体に実時間と共に記録する記録異常検出・訂正・制御手段と、前記記録媒体への記録開始前に該記録に関する回路要素の設定データ及び設定操作情報を保持するモード設定データ保持手段とを備え、前記記録異常検出・訂正・制御手段は、前記信号処理手段の回路要素に設定された設定データを所定時間間隔で監視するとともに、該監視結果として得られる設定データと、前記モード設定データ保持手段のモード設定データとを比較して異なる場合には記録異常が発生する状態になったもしくは発生したとして、前記異常情報記録媒体に記録異常の原因である設定データの内容やその時の設定操作情報を実時間データと共に記録し、かつ、異常の確認された回路要素に対して、前記モード設定データ保持手段に保持されているモード設定データとなるようリセットし、引き続いて正常な状態に復帰させて信号処理を行わせる、ことを特徴とする。
【００２０】
請求項１に係る発明によれば、記録異常がいつ生じたかについては、異常情報記録媒体に記録された記録異常に関する情報の実時間を知ることでただちにわかるとともに、記録異常の具体的内容については、異常情報記録媒体に記録されたその記録異常の原因である設定データ及び操作情報の内容で知ることができる。
【００２１】
したがって、ユーザーに使用状況を問い合わせなくても、異常情報記録媒体に記録された記録異常時の設定データの内容や操作した人為設定手段の情報を解析することができるので、記録異常の原因解析が詳細に行なえるとともに、短時間で行なえることになり、ユーザーに記録異常の原因などを短時間で回答できるとともに、改良や信頼性の向上の対応も迅速に行なうことができる。また、記録異常の生じた情報記録装置そのものがなくても、異常情報記録媒体さえあればその記録異常の解析が行なえるので、その解析を行なっている間でも情報記録装置を有効に活用できる。
また、記録異常の発生要因についてどの回路で発生したか記憶異常の原因である設定データを解析することで、映像信号処理手段を構成する回路要素のどれがその原因となっているか簡易に知ることができ、記録異常の解析対策作業が簡易迅速なものとなる。
さらに、映像信号処理手段の設定データを所定時間間隔で監視し、その監視結果が、予め設定されたモード設定データ保持手段のモード設定データと異なっている場合には、記録異常が発生する状態になったもしくは発生していると自動的に判断して、その記録異常の原因である設定データの内容やその時の設定操作情報を実時間データと共に異常情報記録媒体に記録することにより、外乱などによる記録異常を迅速に解析できるようになる。これによって、専用の異常監視回路を設けなくても良い。
【００２２】
本発明の請求項２に係る情報記録装置は、請求項１に記載の情報記録装置において、前記信号処理手段は、少なくとも映像信号を前記情報として前記記録媒体に記録するための処理を行なうように構成している、ことを特徴とする。
【００２３】
請求項２に係る発明によれば、例えばビデオカメラのように撮像した映像情報を記録媒体に記録するような場合に、記録異常がいつ生じたかについては、異常情報記録媒体に記録された記録異常に関する情報と共に記録された実時間を知ることでただちにわかるとともに、記録異常の具体的内容については、異常情報記録媒体に記録されたその記録異常の原因である設定データの内容及び操作した人為設定手段の情報で知ることができる。
【００２６】
本発明の請求項４に係る情報記録装置は、請求項１または２に記載の情報記録装置において、前記信号処理手段での信号処理モードを人為的に設定する人為設定手段を備えるとともに、前記記録異常検出・訂正・制御手段は、前記人為設定手段の設定操作情報を前記異常情報記録媒体に操作した実時間と共に記録するように構成している、ことを特徴とする。
【００２７】
請求項４に係る発明によれば、記録異常が人為設定手段のどのような操作で、またいつの時点で生じたかについて、記録異常を誘発した人為的操作を解析することで、簡易迅速に知ることができる。
【００３０】
本発明の請求項６に係る情報記録装置は、請求項１から５のいずれかに記載の情報記録装置において、前記記録異常が発生する状態になったもしくは発生している状態を検出したときには、記録異常状態であることを表示もしくは報知する手段を備える、ことを特徴とする。
【００３１】
請求項６に係る発明によれば、記録異常状態であることを表示もしくは報知することによって、その記録異常が発生する状態もしくは発生している状態を解消して本来の初期モード状態に適宜設定しなおすことをうながすことができる。これによって、記録異常状態を長く継続しないようにすることができる。また、その記録を行っていた記録媒体には記録異常が生じていることを予めユーザーにわからせておくことができる。
【００３２】
本発明の請求項７に係る情報記録装置は、請求項１から６のいずれかに記載の情報記録装置において、前記記録媒体は磁気記録媒体である、ことを特徴とする。
【００３３】
本発明の請求項８に係る情報記録装置は、請求項７に記載の情報記録装置において、前記磁気記録媒体は磁気テープである、ことを特徴とする。
【００３４】
本発明の請求項９に係る情報記録装置は、請求項１から８のいずれかに記載の情報記録装置において、前記記録媒体と前記異常情報記録媒体とを同一とし、異常情報を前記記録媒体の空き領域に記録する、ことを特徴とする。
【００３５】
本発明の請求項１０に係る情報記録装置は、請求項１から８のいずれかに記載の情報記録装置において、前記記録媒体は、記録媒体本体を封止体に内蔵した携帯型記録媒体に構成するとともに、前記異常情報記録媒体は、前記記録媒体本体とは別に前記携帯型記録媒体に備えられた補助記録媒体である、ことを特徴とする。
【００３６】
本発明の請求項１１に係る情報記録装置は、請求項１０に記載の情報記録装置において、前記記録媒体は、磁気記録媒体を封止体に内蔵したカートリッジ型の携帯型記録媒体であって、前記補助記録媒体は、前記携帯型記録媒体に備えられる半導体メモリである、ことを特徴とする。
【００３７】
以下、本発明の情報記録装置の具体的な実施の形態について、図面を用いて詳細に説明する。
【００３８】
図１は、回路の概略を示すブロック図、図２は、信号処理手段として映像信号処理手段を構成するＬＳＩから成る各回路に設けたレジスタへの信号書き込みや読取に関するタイミング信号などのタイムチャートである。
【００３９】
図１に、情報記録装置の一例としてのカメラ一体型ＶＴＲを示している。このカメラ一体型ＶＴＲ１は、撮像部２と、ＶＴＲ部３とを有する。
【００４０】
撮像部２は、撮影用レンズ機構４を介して入射された被写体からの光情報が光電変換器としてのＣＣＤ５を介して電気信号に変換する構成となっている。ＶＴＲ部３は、ＣＣＤ５からの電気信号を、映像信号を処理する信号処理手段としての各種信号処理回路を成すＬＳＩ１，２，３…等を通して記録用信号に変換し、記録ヘッド６を介して磁気記録媒体としての磁気テープ７に記録する構成となっている。このＬＳＩ１，２，３…は、それぞれ、例えばシャフリング回路、圧縮回路、可変長符号化回路、ＥＣＣ符号化回路、変調回路などである。
【００４１】
そして、カメラ一体型ＶＴＲ１の外装ケースの所要箇所（例えば側面部や前面部）には、例えば、ゲイン調整、ガンマ補正、ニー補正などの各種のモード設定を人為的に行なう人為設定手段としての設定キー８…、及び電源スイッチ９等が設けられている。
【００４２】
この設定キー８…、及び電源スイッチ９からの信号は、マイクロコンピュータを備える記録異常検出・訂正・制御手段１０に入力される。この記録異常検出・訂正・制御手段１０は、前記各ＬＳＩ１，２，３…等を制御するものである。
【００４３】
すなわち、各ＬＳＩ１，２，３…にはそれぞれにおける信号処理モードを設定するレジスタｒ１，ｒ２，ｒ３…が設けられており、各レジスタｒ１，ｒ２，ｒ３…に対して、各ＬＳＩ１，２，３…の信号処理モードを設定する信号を記録異常検出・訂正・制御手段１０から出力している。また、記録異常検出・訂正・制御手段１０は、各レジスタｒ１，ｒ２，ｒ３…にセットされている信号処理モード設定用のコードデータを読み出し可能となっている。また、記録異常検出・訂正・制御手段１０は、モード設定データ保持手段として、内部レジスタ１０ａを備えており、ＬＳＩ１，２，３…に設定された設定データと同じ値をモード設定データとして保持している。
【００４４】
さらに、設定された信号処理モード等を表示可能な表示装置１１を備えているとともに、記録異常検出・訂正・制御手段１０からの制御信号によってこの表示装置１１に表示可能となっている。
【００４５】
また、カメラ一体型ＶＴＲ１の外装ケースには、撮影時の各種モードを記憶したメモリカード１２を着脱自在なスロット部を設けているとともに、該スロット部を介してメモリカード１２から各種モードの情報を記録異常検出・訂正・制御手段１０に入力可能に構成している。
【００４６】
また、磁気テープ７にタイムコードを記録するための時間情報を生成するタイマー１３を備えているとともに、このタイマー１３からの出力が記録異常検出・訂正・制御手段１０に入力されるようになっている。
【００４７】
次に、本発明の特徴について説明する。
【００４８】
記録異常検出・訂正・制御手段１０は、電源スイッチ９がＯＮ操作されると、それに伴って、各ＬＳＩ１，２，３…のレジスタｒ１，ｒ２，ｒ３…に予め各ＬＳＩ１，２，３…に対し所定のモードに設定されるように、モード設定することで、撮影に適した初期モード設定が自動的に設定される。例えば、この初期モード設定は、前記メモリカード１２が前記スロットに装着されているときは、このメモリカード１２に記憶されているモード情報に基づいて行なわれる。また、電源スイッチ９のＯＮ操作後でも、人為的に設定キー８を操作すれば、撮影時の信号処理における各モードが設定できる。その際は、そのモード変更によって変更されたモード設定データが記録異常検出・訂正・制御手段１０の内部レジスタ１０ａにも同時に反映される。
【００４９】
そして、記録異常検出・訂正・制御手段１０は、図２にタイミングチャートとして示すように、レジスタｒ１，ｒ２，ｒ３…へ所定のモードに対応した設定データを書き込むと同時に、内部レジスタ１０ａにも同じデータを書き込む。その後、所定時間ごとに、各ＬＳＩ１，２，３…のレジスタｒ１，ｒ２，ｒ３…を読み取り、その読み取られた設定データがユーザーが設定したモードとあっているか、記録異常検出・訂正・制御手段１０の内部レジスタ１０ａに記憶されている前記モード設定データと比較するように構成している。
【００５０】
従って、外乱や不安定な電源の立ち上がりなどにより信号処理で異常が生じた場合、レジスタｒ１，ｒ２，ｒ３…における設定データがモード設定データと異なることが記録異常検出・訂正・制御手段１０で判断され、その対応するレジスタｒ１，ｒ２，ｒ３…番号と、内部レジスタ１０ａに保持されている正常なモード設定データ、及び、異常となった設定データを、図１に示す情報重畳手段１４を介して記録異常の原因となった設定データの内容を、磁気テープ７における空き記録領域（トラック）に記録ヘッド６により記録する。
【００５１】
そのとき、タイムコードや記録日時、ユーザーによる設定キー８、電源スイッチ９の操作内容や操作時間も磁気テープ７に記録されているから、記録異常情報が発生した、または発生する状態になったときの時間が実時間としてわかるようになっている。
【００５２】
撮影後において再生画像を見ることによって、何らかの異常な状態で映像信号が磁気テープに記録されていると認められる場合には、その異常の原因の解析を行なうことになる。その場合、磁気テープにおける、記録異常の原因となった設定データの内容を読み出して、いつの時点の撮影において異常が発生し、その異常が外乱などによる記録異常なのか、設定キー８や電源スイッチ９の人為的な操作によるモード変化時の異常によるものなのか解析することになる。
【００５３】
なお、記録異常のまま磁気テープに記録していくのでなく、記録異常が生じたときには、記録異常検出・訂正・制御手段１０によって、その記録異常について上記と同様記録異常情報を磁気テープに記録するとともに、異常の確認されたＬＳＩについて、自動的にその時点のモードに適切なデータとなるようリセットし、引き続いて正常な状態に復帰させて撮影を行なうようにしても良い。
【００５４】
なお、上記実施の形態では、映像信号に関して異常な記録状態になった、または異常な記録状態となった可能性がある場合について説明したが、映像信号以外に音声信号に関しても、その記録異常が生じたまたは生じた可能性があることを実時間や操作情報と共に、かつその記録異常の発生要因となった回路の設定データなどを磁気テープの空き記録領域に記録するようにしても良い。ここで、音声信号に関する信号処理も含めて映像信号処理手段が構成されている。
【００５５】
このように、記録異常が発生したときの映像信号処理手段の回路の異常検出結果とユーザーのスイッチ操作や電源電圧、温度などを映像や音声に関連付けて、同一時間、すなわち実時間情報と共に空の記録領域となるトラック上に記録することにより、記録異常の原因解析をしやすくする。
【００５６】
さらに、記録異常検出・訂正・制御手段１０は、記録異常が生じたときにその記録異常発生を撮影者にエラーメッセージとして報知すべく表示装置１１に表示するように構成してもよい。これにより、ユーザーに記録異常が発生していることを警告することになる。
【００５７】
上記のように構成されたカメラ一体型ＶＴＲ１によれば、磁気テープ７に記録された記録異常の内容を解析することにより、記録異常が起こった状況をユーザーに問い合わせる必要が減少するため、ユーザーの負担を減らすことができる。また、原因解析の精度改善や時間短縮を図ることができ、ユーザーへの回答や対応をすばやく行える。
【００５８】
また、記録異常を起こした情報記録装置そのものがなくても、その記録異常状態で記録された磁気テープがあれば解析可能であるから、代替の情報記録装置を用意する必要が減り、かつ、その輸送費用を節約することができる。
【００５９】
さらに、記録異常が発生したどうかを検出するための専用の異常検出回路を設けなくてよいから、回路部品のコストアップなく安価に記録異常検出ができる。
【００６０】
なお、上記実施の形態では、記録異常について外乱などによる信号処理異常が原因となる記録異常、および、設定キーの操作によるモード変化時の異常が原因となる記録異常の両者を磁気記録媒体に記録異常情報として記録できるものについて説明したが、いずれか一方の機能のみしか備えていないものでも良い。
【００６１】
なお、上記実施の形態では、設定キーとして、ゲイン調整、ガンマ補正、ニー補正などを行なえるものがあることを例示したが、その他に、ＡＷＢ補正などがあり、さらに、撮影をリモコン操作できる状態にモード設定するスイッチ、ポーズ設定スイッチ、早送り、反転送り操作用のスイッチオンスクリーンメニューによる設定なども設定キーに含まれる。
【００６２】
なお、上記実施の形態では、表示装置１１を利用して、記録異常が発生していることを、警報として発するものを示したが、この警報を音声により発するようにしても良いし、記録状態を報知するタリーランプを点滅させて記録異常を放置してもよい。
【００６３】
上記実施の形態では、カメラ一体型ＶＴＲについて説明したが、情報記録装置としては、カメラ一体型ＶＴＲに限定されるものではない。したがって、記録される情報についても映像信号や、音声信号に限定されるものではない。
【００６４】
上記実施の形態では、記録媒体として磁気記録媒体の一例としての磁気テープを示したが、磁気テープや磁気記録媒体に限定されるものではない。例えば、記録媒体としては、メモリカード、本体内部に内蔵された不揮発性ＲＡＭなどのメモリ素子、光ディスクなどの光学的記録媒体などでも良い。
【００６５】
また、例えばカセットテープなどの磁気記録媒体の内部または表面に、外部と信号の送受信可能に装備したメモリＩＣに、記録異常に関する情報を磁気テープに記録される映像信号やタイムコードなどと対応づけて記録できるようにしてもよい。
【００６６】
また、本実施の形態ではＶＴＲ部３を例にとって説明したが、カメラ部２のＬＳＩについても同様に適用してもよい。
【００６７】
さらに、本実施の形態では、記録異常検出・訂正・制御手段１０の内部にモード設定データ保持手段としての内部レジスタ１０ａを持つ構成としたが、記録異常検出・訂正・制御手段１０とは別に外部にモード設定データ保持手段としてのメモリを持ってもよい。
【００６８】
【発明の効果】
本発明に係る情報記録装置によれば、記録異常が発生する状態となったもしくは発生した場合、その記録異常に関する情報を磁気記録媒体に記録するようにしたから、後で記録異常について原因解析を行なうときに、磁気記録媒体に記録された記録異常の原因となった設定データやユーザーの操作状況を解析していくことで、記録異常について、例えば何時発生したか、どの回路が記録異常に関係しているか、あるいは、どのような操作で記録異常が発生したかなど、簡易かつ迅速に解析することができる。
【００６９】
また、その磁気記録媒体さえあれば、その記録異常についての解析が可能であるので、情報記録装置について解析を行なう必要が減り、その解析時においても使用可能となる確率を上げられる。
【図面の簡単な説明】
【図１】  本発明に係る情報記録装置の一例としてのカメラ一体型ＶＴＲを示すブロック図
【図２】  映像信号処理手段を構成するＬＳＩから成る各回路に設けたレジスタへの信号書き込みや読取に関するタイミング信号などのタイミングチャート
【符号の説明】
７    磁気テープ（磁気記録媒体）
１０  制御部（記録異常検出・訂正・制御手段）
ＬＳＩ１，２，３…    映像信号処理手段
【図１】
0003707731.tif 000002
【図２】
0003707731.tif 000003